(57)【要約】      （修正有）【課題】子供が一人でも国名からその国の位置を容易に探し出すことができる地球儀セットを提供する。【解決手段】地球儀セット１は、州ごとに同系色によって色分けされ、国が位置する地域ごとに同じ色によって国名が記載される地球儀本体部１０と、五十音順に配置され、地球儀本体部１０の記載の国名の色と同じ色によって記載される国名と、地球儀本体部１０に施された州の色と同系の色が施される所属州と、が記載される索引部と、を備える。地球儀本体部１０は、国ごとに各州の色と同系色に色分けされ、索引部は、国ごとに地球儀本体部１０に施された色と同じ色が施される。【選択図】図１
0003220437.tif 000002
【実用新案登録請求の範囲】
【請求項１】
６大州の州ごとに色分けされ、国が位置する地域ごとに同じ色によって国名が記載される地球儀本体部と、
五十音順に配置され、前記地球儀本体部の記載の国名の色と同じ色によって記載される国名と、前記地球儀本体部に施された州の色と同系の色が施される所属州と、が記載される索引部と、
を備える地球儀セット。
【請求項２】
前記地球儀本体部は、
国ごとに各州の色と同系色に色分けされ、
前記索引部は、
国ごとに前記地球儀本体部に施された色と同じ色が施される請求項１に記載の地球儀セット。
【請求項３】
前記索引部は、
各国に関するクイズが記載される請求項１又は請求項２に記載の地球儀セット。
【請求項４】
前記クイズは、
前記地球儀本体部を見ながら考えるクイズには識別子が記載される請求項３に記載の地球儀セット。
【請求項５】
前記索引部は、
国ごとにメモ欄が設けられる請求項１から請求項４までのいずれか１項に記載の地球儀セット。
【考案の詳細な説明】
【技術分野】
【０００１】
本考案は、地球儀セットに関する。
【背景技術】
【０００２】
従来の地球儀は、球体の表面に海と陸が表され、陸については国ごとに色分けが施され、国名は単一の色によって標記されていた。
【０００３】
地球儀は特に子供が地理の学習に使用されることが多い。しかし、地理の知識がほとんどない子供にとって、従来の地球儀を用いて国名からその国の地球上の場所を探し当てることは容易ではない。
【０００４】
従って、国名から地球儀に表記されたその国の位置を探す場合、子どもは大人の手を借りる必要があった。
【先行技術文献】
【特許文献】
【０００５】
【特許文献１】実用新案登録第３１４８４１４号公報
【考案の概要】
【考案が解決しようとする課題】
【０００６】
本考案が解決しようとする課題は、子供が一人でも国名からその国の位置を容易に探し出すことができる地球儀セットを提供することである。
【課題を解決するための手段】
【０００７】
本考案は、州ごとに色分けされ、国が位置する地域ごとに同じ色によって国名が記載される地球儀本体部と、五十音順に配置され、前記地球儀本体部の記載の国名の色と同じ色によって記載される国名と、前記地球儀本体部に施された州の色と同系の色が施される所属州と、が記載される索引部と、を備える地球儀セットを提供する。
【考案の効果】
【０００８】
本考案によれば、子供が一人でも国名からその国の位置を容易に探し出すことができる地球儀セットを提供することができる。
【図面の簡単な説明】
【０００９】
【図１】本実施形態の地球儀セットの斜視図。
【図２】地球儀セットの図１におけるＡの部分の拡大図。
【図３】冊子に記載される索引部を示す図。
【考案を実施するための形態】
【００１０】
以下、本考案の一実施形態に係る地球儀セット１を、図面を参照しながら詳細に説明する。
【００１１】
図１は本実施形態の地球儀セット１の斜視図、図２は地球儀セット１の図１におけるＡの部分の拡大図である。図１及び図２に示すように、地球儀セット１は、地球儀本体部１０と、地球儀本体部１０を回転自在に支持する支持部１１と、支持部１１を支える台座部１２と、冊子２０と、を備える。
【００１２】
台座部１２は、背面部に冊子２０を挟む切り込み部１３を有する。
【００１３】
地球儀本体部１０は、６大州（北アメリカ州、南アメリカ州１０Ｄ、アジア州１０Ａ、ヨーロッパ州１０Ｂ、アフリカ州１０Ｃ、オセアニア州）ごとに、同系色によって色分けされ、各州の内部は国ごとに彩度又は濃度の異なる同系色によって色分けされる。６大州の各州にはその週の名称が記載される表記マーク１０Ｍが記載される。
【００１４】
例えば、北アメリカ州は黄色系の色、南アメリカ州はオレンジ系の色、アジア州は緑系の色、ヨーロッパ州はピンク系の色、アフリカ州は紫系の色、オセアニア州は青系の色にそれぞれ色分けされる。
【００１５】
そして、例えば北アメリカ州は、カナダはやや薄い黄色、アメリカ合衆国は更に薄い黄色、メキシコは濃い黄色、等のように、各州内の各国は同系色によって色分けされる。
【００１６】
更に、各国の国名は、国のまとまりごと、つまり国が位置する地域ごとに同じ色によって記載される。例えば、アジア州１０Ａのうち、東の方に位置する国々である日本、中華人民共和国、大韓民国、モンゴルなどの国々のまとまりは、国名が赤色によって表記され、中央アジアの国々であるカザフスタン、ウズベキスタン、キルギス、タジキスタン、トルクメニスタン等は青色、南アジアの国々であるインド、ネパール、パキスタン、アフガニスタン、イラン等は紫色、西アジアの国々である、トルコ、イラク、クウェート、ヨルダン、サウジアラビア、イエメンなどの国々はオレンジ色によって国名が表記される。
【００１７】
図３は、冊子２０に記載される索引部３０を示す図である。図３に示すように、索引部３０は地球儀本体部１０に記載される国名の色と同じ色によって国名が五十音順に記載される。
【００１８】
また、国名の背景は地球儀本体部１０に色分けされる各国が属する州に施される系統の色と同じ色が施される。例えば、アメリカ合衆国は北アメリカ州に属するため、アメリカ合衆国の国名の背景には北アメリカ州に施される色である黄色系統の色と同じ色の黄色系統の色、より具体的には普通の濃さの黄色が施される。
【００１９】
国名の右隣には、所属州を示す表記マーク３０Ｍが記載される。この表記マーク３０Ｍは、その国が所属する州である所属州に施される系統の色のうち、普通の濃さの色によって塗りつぶされた長円に、州の名称が白抜き文字によって記載される。この表記マーク３０Ｍは、地球儀本体部１０に記載される表記マーク１０Ｍと同一である。例えば、アメリカ合衆国の場合、所属州を示す表記マーク３０Ｍは普通の濃さの黄色の長円に北アメリカ州の文字が白抜き文字によって記載され、この表記マーク３０Ｍと同一の表記マーク１０Ｍが地球儀本体部１０の北アメリカ州に記載される。
【００２０】
所属州の右隣には、その国の首都の名前が記載される。
【００２１】
首都の右隣りには、その国の国旗が記載される。
【００２２】
国旗の右隣りには、その国に関するクイズが記載される。地球儀本体部１０を見ながら考えるクイズには、識別子である地球儀マーク３１が記載される。
【００２３】
クイズの右隣りには、メモ欄が記載される。
【００２４】
次に、本実施形態の地球儀セット１の使い方について説明する。
【００２５】
地球儀本体部１０において、ある国の位置を調べる場合、先ず冊子２０の索引部３０において、国名を探す。
【００２６】
ここでは、エジプトを探すことを例に説明する。エジプトを索引部３０において探すと、表記マーク３０Ｍによって所属州はアフリカ州であることが分かる。
【００２７】
学習者は表記マーク３０Ｍを参照し、アフリカ州の表記マーク３０Ｍの色と「アフリカ州」という記載を手掛かりに、まずアフリカ州の位置を把握する。また、アフリカ州はアフリカ州の表記マーク３０Ｍの色と同系色であるから、簡単にアフリカ州の位置を把握できる。より具体的には、学習者は、アフリカ州が索引部３０において表記マーク３０Ｍが普通の濃さの紫色によって色分けされているため、学習者は地球儀本体部１０のうち紫系の色に色分けされた部分を手掛かりに、アフリカ州を見つけることができる。そして、学習者は地球儀本体部１０に見つけた表記マーク１０Ｍと索引部３０に記載されている表記マーク３０Ｍとが同一であることを確認することにより、その州が探そうとしていたアフリカ州であることを確かめることができる。
【００２８】
次に、学習者は国名の色を手掛かりに、所属州内の大まかな位置を把握する。索引部３０においてエジプトは国名が赤色によって記載されているため、学習者はアフリカ州の中において赤色の国名を手掛かりに、エジプトの大まかな位置を把握する。
【００２９】
最後に、学習者は、国名の表記を手掛かりに、国の位置を見つける。学習者は、赤色によって表記された国名を一つずつ確認することにより、エジプトの位置を見つけることができる。
【００３０】
以上述べたように、本実施形態の地球儀セット１は、州ごとに同系色によって色分けされ、国が位置する地域ごとに同じ色によって国名が記載される地球儀本体部１０と、五十音順に配置され、地球儀本体部１０の記載の国名の色と同じ色によって記載される国名と、地球儀本体部１０に施された州の色と同系の色が施される所属州と、が記載される索引部３０と、を備える。
【００３１】
従って、本考案によれば、子供が一人でも国名からその国の位置を容易に探し出すことができる地球儀セット１を提供すること提供することができるという効果がある。
【符号の説明】
【００３２】
１  地球儀セット
１０  地球儀本体部
１０Ａ  アジア州
１０Ｂ  ヨーロッパ州
１０Ｃ  アフリカ州
１０Ｄ  南アメリカ州
１０Ｍ  表記マーク
１１  支持部
１２  台座部
１３  切り込み部
２０  冊子
３０  索引部
３０Ｍ  表記マーク
３１  地球儀マーク
【図１】
0003220437.tif 000003
【図２】
0003220437.tif 000004
【図３】
0003220437.tif 000005